(57)【要約】建築物のような三次元配備区域内に移動端末、ワイヤレス・ルータ、および少なくとも１つの制御コンソールを含む、ワイヤレス・デバイスのネットワークを配備し、建築物の構造に関わらず、移動端末を用いて、消防士のような要員の通信、特定、および位置計算を行うことができるシステムおよび方法を提供する。ワイヤレス・ルータは、安全プログラムの一部として前もって、または緊急時に消防士またはその他のチームの建築物への到着時に即座に、対象の建築物の階段室およびエレベータ・シャフトにほぼ垂直に配備する。ここに記載する本発明の実施形態によるシステムおよび方法は、移動端末とワイヤレス・ルータとの間のＴＯＦおよびＲＳＳＩ双方を用いて、消防士がいるフロアの番号を特定し、消防士の移動を追跡する。
2007526445.tif 000002
【特許請求の範囲】
【請求項１】
三次元多層構造における移動を監視するシステムであって、
ワイヤレス・アドホック・マルチホッピングおよびピア・ツー・ピア通信ネットワークにおいて通信するように構成された、複数の移動ワイヤレス遠隔端末と、
三次元区域内に配備可能であり、前記ワイヤレス・アドホック・マルチホッピングおよびピア・ツー・ピア通信ネットワークにおいて通信するように構成されている複数のワイヤレス・ルータと、
を備えており、
前記移動ワイヤレス遠隔端末の各々は、そのブロードキャスト範囲において前記ルータのいずれとでも信号を交換するように構成され、前記信号に基づいて前記三次元構造におけるその位置を判定するように構成されている、システム。
【請求項２】
請求項１記載のシステムにおいて、
前記各移動ワイヤレス遠隔端末は、前記ブロードキャスト範囲内にあるルータの前記いずれかから受信した信号に関する飛行時間（ＴＯＦ）データと、受信信号強度表示（ＲＳＳＩ）データとを用いて、前記三次元構造におけるその位置を判定する、システム。
【請求項３】
請求項２記載のシステムにおいて、
前記三次元構造は建築物であり、前記ルータは前記建築物のそれぞれのフロア上に配備されており、
前記各移動ワイヤレス遠隔端末は、前記信号に関するＴＯＦデータおよびＲＳＳＩデータに基づいて各フロアにそれぞれのスコアを割り当て、該スコアに基づいてその位置をそれが存在するフロアとして判定する、システム。
【請求項４】
請求項３記載のシステムにおいて、
前記各移動端末は、それが存在するフロアを、最も低いスコアを有するフロアとして特定する、システム。
【請求項５】
請求項２記載のシステムにおいて、
前記各移動ワイヤレス遠隔端末は、前記ＴＯＦデータおよびＲＳＳＩデータに基づいてその位置を判定した時点に近いある時間内において、前記ルータから受信する信号に関する前記ＴＯＦデータおよびＲＳＳＩデータを用い、前記ある時間よりも前に受信した信号に関する前記ＴＯＦデータおよびＲＳＳＩデータを用いるのを控える、システム。
【請求項６】
請求項１記載のシステムであって、更に、
前記移動端末のそれぞれについて判定した位置に関する情報を当該移動端末から受信し、前記三次元位置における前記移動端末の位置を示す表示を生成するように構成されている制御コンソールを備えている、システム。
【請求項７】
請求項６記載のシステムにおいて、
前記三次元位置は建築物であり、前記ルータは前記建築物のそれぞれのフロアに配備されており、
前記制御コンソールは、前記建築物のフロア上にある前記移動端末の位置を示す表示を生成するように構成されている、システム。
【請求項８】
請求項６記載のシステムにおいて、
前記各移動端末はそれぞれの動作センサを含み、前記各移動端末はそのそれぞれの動作センサから受信したデータを前記制御コンソールに送信し、
前記制御コンソールは、特定の移動端末と連動する動作センサから受信したデータが、当該移動端末がある時間期間移動していないことを示す場合、当該移動端末を特定する警報状態を生成するように構成されている、
システム。
【請求項９】
請求項６記載のシステムにおいて、
前記各移動端末は、音声およびビデオ・データの少なくとも１つを前記制御コンソールに送信するように構成されている、システム。
【請求項１０】
三次元多層構造において移動を監視する方法であって、
前記三次元構造内に複数の移動ワイヤレス遠隔端末を配備するステップであって、前記移動ワイヤレス遠隔端末の各々は、ワイヤレス・アドホック・ピア・ツー・ピア通信ネットワークにおいて通信するように構成されていることと、
前記三次元構造内に複数のワイヤレス・ルータを配備するステップであって、前記ワイヤレス・ルータの各々は、前記ワイヤレス・アドホック・ピア・ツー・ピア通信ネットワークにおいて通信するように構成されていることと、
そのブロードキャスト範囲内において前記ルータのいずれとも信号を交換するように前記移動ワイヤレス遠隔端末の各々を制御し、これらの信号に基づいて、前記三次元構造におけるその位置を判定するステップと、
を備えている、方法。
【請求項１１】
請求項１０記載の方法において、
前記各移動ワイヤレス遠隔端末は、そのブロードキャスト範囲内にある前記ルータの前記いずれかから受信した信号に関する飛行時間（ＴＯＦ）データおよび受信信号強度表示（ＲＳＳＩ）データを用いて、前記三次元構造におけるその位置を判定する、方法。
【請求項１２】
請求項１１記載の方法において、
前記三次元構造は建築物であり、前記ルータを配備するステップは、前記建築物のそれぞれのフロア上に前記ルータを配備し、
前記制御するステップは、前記信号に関するＴＯＦデータおよびＲＳＳＩデータに基づいて各フロアにそれぞれのスコアを割り当て、該スコアに基づいてその位置をそれが存在するフロアとして判定するように、前記各移動ワイヤレス遠隔端末を制御することを含む、方法。
【請求項１３】
請求項１２記載の方法において、
前記各移動端末は、それが存在するフロアを、最も低いスコアを有するフロアとして特定する、方法。
【請求項１４】
請求項１１記載の方法において、
前記制御するステップは、前記ＴＯＦデータおよびＲＳＳＩデータに基づいてその位置を判定した時点に近いある時間内において、前記ルータから受信する信号に関する前記ＴＯＦデータおよびＲＳＳＩデータを用い、前記ある時間よりも前に受信した信号に関する前記ＴＯＦデータおよびＲＳＳＩデータを用いるのを控えるように前記各移動ワイヤレス遠隔端末を制御することを含む、方法。
【請求項１５】
請求項１０記載の方法であって、更に、
前記移動端末のそれぞれについて判定した位置に関する情報を当該移動端末から受信し、前記三次元位置における前記移動端末の位置を示す表示を生成するように構成されている制御コンソールを配備するステップを含む、方法。
【請求項１６】
請求項１５記載の方法において、
前記三次元位置は建築物であり、前記ルータは、前記建築物のそれぞれのフロアに配備されており、
前記制御コンソールは、前記建築物のフロア上にある前記移動端末の位置を示す表示を生成するように構成されている、方法。
【請求項１７】
請求項１５記載の方法において、
前記各移動端末はそれぞれの動作センサを含み、前記各移動端末は、そのそれぞれの動作センサから受信したデータを前記制御コンソールに送信し、
前記制御コンソールは、特定の移動端末と連動する動作センサから受信したデータが、当該移動端末がある時間期間移動していないことを示す場合、当該移動端末を特定する警報状態を生成するように構成されている、
方法。
【請求項１８】
請求項１５記載の方法において、
前記各移動端末は、音声およびビデオ・データの少なくとも１つを前記制御コンソールに送信するように構成されている、方法。
【請求項１９】
請求項１０記載の方法において、
前記ルータを配備するステップは、前記移動端末を前記三次元構造内に配備する前に、前記ルータを前記三次元構造内に配備する、方法。
【請求項２０】
請求項１０記載の方法において、
前記ルータを配備するステップは、前記移動端末を前記三次元構造内に配備している間に、前記三次元構造内に前ルータを配備する、方法。
【発明の詳細な説明】
【技術分野】
【０００１】
本発明は、ネットワーク、特に、アドホック・ワイヤレス移動通信ネットワークにおいて、受信信号強度表示および信号伝搬時間を用いて、ネットワークにおける移動ワイヤレス・デバイスの位置を正確に特定するシステムおよび方法に関する。更に特定すれば、本発明は、火事や救助の場面のような、現実の用途において、救助を必要とする消防士がいるフロア番号を素早くかつ正確に特定するための、このようなシステムおよび方法に関する。
【背景技術】
【０００２】
本発明は、Ｕ．Ｓ．Ｃ．§１１９（ｅ）に基づいて、ジョン  エム．ベルシーその他（Ｊｏｈｎ  Ｍ．Ｂｅｌｓｅａ  ｅｔ  ａｌ．）の「受信信号強度表示および信号伝搬時間を用いて、救助が必要な消防士がいるフロア番号を特定するシステムおよび方法」と題する、２００４年２月２４日出願の米国仮特許出願第６０／５４９，９４２号、ジョン  エム．ベルシーその他の「高層建築物内部においてワイヤレス・デバイスの位置を正確に計算するシステムおよび方法」と題する、２００３年６月６日出願の米国仮特許出願第６０／４７６，１６７号、およびジョン  エム．ベルシーの「建築物内部においてワイヤレス・デバイスの位置を正確に計算するためのＭＡＣプロトコル」と題する、２００３年６月６日出願の米国仮特許出願第６０／４７６，２３２号についての優先権を主張する。各出願の内容全体は、ここで引用したことにより、本願にも含まれるものとする。
【０００３】
移動ワイヤレス電話ネットワークのようなワイヤレス通信ネットワークは、過去１０年の間に増々普及してきている。これらのワイヤレス通信ネットワークは、一般に「セルラ・ネットワーク」と呼ばれている。何故なら、ネットワークの基盤構造が、サービス区域を「セル」と呼ばれる複数の領域に分割するように構成されているからである。地上セルラ・ネットワークは、複数の相互接続された基地局、即ち、基地ノードを含み、これらがサービス区域全域にわたって指定された場所に地理的に分散されている。各基地ノードは１つ以上のトランシーバを含み、無線周波数（ＲＦ）通信信号のような電磁信号を、カバレッジ区域内に位置するワイヤレス電話機のような移動ユーザ・ノードとの間で送受信することができる。通信信号は、例えば音声データを含み、これを所望の変調技法にしたがって変調し、データ・パケットとして送信する。当業者には認められようが、ネットワーク・ノードは、時分割多元接続（ＴＤＭＡ）フォーマット、符号分割多元接続（ＣＤＭＡ）フォーマット、または周波数分割多元接続（ＦＤＭＡ）フォーマットのような多重化したフォーマットでデータ・パケット通信を送受信しており、基地ノードにおける１台のトランシーバで、そのカバレッジ区域内にある数台の移動ノードと同時に通信することを可能にしている。
【０００４】
近年、「アドホック・マルチ・ホッピング」(ad-hoc multi-hopping)ネットワークとして知られている一種の移動通信ネットワークが開発されている。この種のネットワークでは、各移動ノードは他の移動ノードに対してルータとして動作し、基地局の機能性の殆どを備えており、こうして非常に少ないコストでカバレッジ区域を広げることを可能にしている。アドホック・ネットワークの詳細は、メイヤー（Ｍａｙｏｒ）の特許文献１に明記されている。その内容全体は、ここで引用したことにより、本願にも含まれるものとする。
【０００５】
更に洗練されたアドホック・ネットワークも開発されつつあり、従来のアドホック・ネットワークにおけるように移動ノード同士が互いに通信できることに加えて、更に、移動ノードが固定ネットワークにアクセスし、こうして、公衆電話交換網（ＰＳＴＮ）、およびインターネットのようなその他のネットワーク上におけるような、その他の固定または移動ノードと通信することが可能となっている。これら発展型のアドホック・マルチ・ホッピング・ネットワークの詳細は、２００１年６月２９日に出願され「ＰＳＴＮおよびセルラ・ネットワークにインターフェースするアドホック・ピア・ツー・ピア移動無線アクセス・システム」と題する特許文献２、２００１年３月２２日に出願され「別個の予約チャネルで共有並列データ・チャネルへのチャネル・アクセスを調整する、アドホック・ピア・ツー・ピア無線ネットワーク用時分割プロトコル」と題する特許文献３、および２００１年３月２２日に出願され「アドホック・ピア・ツー・ピア移動無線アクセス・システムのために優先した経路決定」と題する特許文献４に記載されており、各出願の内容全体は、ここで引用したことにより本願にも含まれるものとする。
【０００６】
従来のワイヤレス通信ネットワーク、またはアドホック・ワイヤレス通信ネットワークのいずれにおいても、移動ノードが、相対的または絶対的な地理的場所または位置を把握または判断できることが必要または望ましい場合がある。当業者には周知であろうが、これは、多数の技術を用いることによって遂行することができる。これらの技術は、セルの識別を、往復時間（ＲＴＴ）、タイミング進み（ＴＡ）および測定信号レベル（ＲＸレベル）、到達時間差（ＴＤＯＡ）および到達角度（ＡＯＡ）技法と組み合わせる必要がある。これらの詳細は、当業者であればよく理解できるはずである。他の利用可能な技術には、符号分割多元接続（ＣＤＭＡ）および広帯域符号分割多元接続（ＷＣＤＭＡ）用のセルラ信号のタイミングに基づく方法を用いるものがある。更に別の技術には、全地球測位システム（ＧＰＳ）技法を用いるものもある。これは、列記した他のあらゆる方法よりも精度が高いと一般に見なされている。
【０００７】
ＧＰＳ技法は相当な期間にわたって用いられており、世界のナビゲーションの殆どがこれを拠り所にしているという事実にも拘わらず、ＧＰＳ技法は、ある特定の条件では大きな誤差を生じる可能性が非常に高い。これは、多数の衛星を伴って比較的多数の測定を行い、伝搬および方法誤差を除去した後でなければ、非常に高い精度で位置判定結果を得ることができない。ＧＰＳの欠点の説明は非特許文献１に明記されており、その内容全体は、ここで引用したことにより、本願にも含まれるものとする。また、他のある検査でも、ＧＰＳ技法は、地下トンネル、建築物内部、密集した樹木の下、都市の「谷間」(urban canyon)におけるような、高い精度を得るには見える衛星の数が少なすぎる環境で動作する地上系ネットワークには適していないことが実証されている。
【０００８】
位置情報を判定する際に伴う前述の問題を克服するために、位置情報を判定する際に衛星の使用も集中計算設備も必要としない新たな技法が開発されている。アドホック・マルチ・ホッピング・ネットワークにおいて移動端末の位置を計算する新たな技法の更なる詳細は、「ワイヤレス通信ネットワークにおいて移動端末の位置を計算するシステムおよび方法」と題する特許文献５に記載されている。その内容全体は、ここで引用したことにより、本願にも含まれるものとする。加えて、アドホック・ネットワークは、非固定的、即ち、可動基盤構造の構成要素を利用して開発することができる。可動アクセス・ポイントおよび中継器を用いてカバレッジおよび容量制約を最適化するネットワークの更なる詳細は、「ワイヤレス通信ネットワークにおいてカバレッジおよび容量の制約を最少に抑える可動アクセス・ポイントおよび中継器」と題し、２００１年８月１５日に出願された特許文献６に記載されている。その内容全体は、ここで引用したことにより、本願にも含まれるものとする。
【０００９】
これまでに論じた特許および特許出願は、総じて、位置情報が絶対位置として表される永続的固定ネットワークに接続する移動ネットワークに関するものである。しかしながら、先に引用した特許出願から認められるように、一時的なアドホック・マルチ・ホッピング・ネットワークが必ずしも同じ要件を有するとは限らない。したがって、緊急状態で作業する要員の居場所を突き止めることが欠くことができないような、相対的な位置検出が望まれる、携行可能で配備が容易な自己充足アドホック・マルチ・ホッピング・ネットワーク・システムが求められている。相対的な位置は、絶対的な地理的位置に加えて、またはその代わりに与えられるとよく、通例このような場所に存在する種々の送信障害物間で容易に伝達可能でなければならない。
【特許文献１】米国特許第５，９４３，３２２号明細書
【特許文献２】米国特許出願第０９／８９７，７９０号明細書
【特許文献３】米国特許出願第０９／８１５，１５７号明細書
【特許文献４】米国特許出願第０９／８１５，１６４号明細書
【特許文献５】米国特許第６，７２８，５４５号明細書
【特許文献６】米国特許出願第０９／９２９，３０３号明細書
【非特許文献１】「全地球測位システム（ＰＧＳ）における数学的課題」、Institute For Mathematics and its Applications （ＩＭＡ）
【発明の開示】
【発明が解決しようとする課題】
【００１０】
このように、配備したワイヤレス通信ネットワークにおいて移動ノードの絶対的および／または相対的位置を容易に判定し伝達するようにシステムおよび方法を改良する必要がある。
【００１１】
本発明の目的は、ワイヤレス・デバイスのネットワーク、特に、移動端末、ワイヤレス・ルータ、および少なくとも１つのコントローラを含む、移動ワイヤレス・アドホック・ピア・ツー・ピア・ネットワークを、建築物のような三次元配備構造において、建築物の構造には関係なく、識別および測位計算を行うことができるように配備するシステムおよび方法を提供することである。
【００１２】
本発明の別の目的は、火事や救出場面のような現実の用途において、救出を必要とする消防士の居場所を突き止め、フロア番号を素早くしかも正確に特定する、かかるシステムを配備することである。
【課題を解決するための手段】
【００１３】
これらおよびその他の目的は、複数の移動端末と、複数のワイヤレス・ルータと、少なくとも１つの制御コンソール端末とを有する、ワイヤレス・アドホック・ピア・ツー・ピア通信ネットワークを提供することによって、実質的に達成される。移動端末は、標準的機器の一部として消防士に支給される。ワイヤレス・ルータは、安全プログラムの一部として前もって（例えば、各フロアの「出口」標識に結び付けられ）、または緊急の際に建築物への到着時に即座に、対象の建築物の階段室およびエレベータ・シャフトにほぼ垂直に配備する。ここに記載する本発明の実施形態によるシステムおよび方法は、移動端末とワイヤレス・ルータとの間の飛行時間（ＴＯＦ：Time Of Flight）および受信信号強度表示（ＲＳＳＩ）の双方を用い、消防士がいるフロアを特定し、消防士の移動を追跡する。全てのルータから受信したＲＳＳＩおよびＴＯＦ値は、フロア番号の評価に用いる前に、フィルタ処理される。ＲＳＳＩおよびＴＯＦデータは消防士までの正しい距離を示さないこともあり得るが、最も近いルータが最小のＴＯＦおよび最良のＲＳＳＩを同時に与えるはずであることが分かっているので、フィルタ処理したデータを比較すれば、消防士がいる可能性が最も高いフロアを見つけ出すことができる。
【００１４】
本発明のこれらおよびその他の目的、利点、ならびに新規な特徴は、以下の詳細な説明を、添付図面と関連付けて読解すれば、一層容易に理解されよう。
【発明を実施するための最良の形態】
【００１５】
先に注記したように、緊急状態において作業する要員の居場所を突き止めることは、多くの理由から非常に重要である。消防士のような要員を煙の中で見失い、彼らが作業していた現在または以前のフロア上で彼ら自身またはその他の者の実際の位置について混乱する事例があった。以下に説明するシステムおよび方法は、一実施形態として提示され、消防士の安全を確保するために構成されている。本発明の更に別の実施形態では、本システムおよび方法は、あらゆる数のその他の緊急時における活動または特殊部隊の配備を支援するように構成することができる。
【００１６】
ここに記載する本発明の一実施形態による事件および要員管理システムは、延焼中の建築物のような事件区域内において緊急要員を追跡する手段を提供するように設計されている。要員の居場所は、建築物のフロアおよび／またはセクタ区域別に報告される。また、このシステムは、リアル・タイム要員位置情報および警報ステータス表示にもアクセスすることができる。システムが管理する補助要員データは、部隊番号、名前、任務、および無線周波数を含む属性を含む。
【００１７】
この種のシステムは、ＭＥＡＴＭワイヤレス技術の使用を採用することによって可能となる。この技術は、ＭｅｓｈＮｅｔｗｏｒｋｓＴＭ  ＷＭＣ６３００ワイヤレス・トランシーバのような、複数のワイヤレス・トランシーバと、ワイヤレス・アドホック・スケーラブル・ルーティング技術を採用する。この例におけるトランシーバは、ＭｅｓｈＮｅｔｗｏｒｋｓＴＭ  ＱＤＭＡモデムのようなモデムを利用し、厳しい条件のＲＦ環境においても、ロバストな無線データ送信を容易にする。このトランシーバは、ＭｅｓｈＮｅｔｗｏｒｋｓＴＭスケーラブル・ルーチング（ＭＳＲ）プロトコルおよび地理的位置解決法と結び付けられ、一点の障害もない高密度スケーラブル・アドホック・マルチ・ホッピング・ネットワークをユーザが瞬時に配備することを可能にする。要約すると、本システムは、音声、映像、およびデータを搬送可能であり、更にネットワーク境界内に位置するある種の要素の相対的な位置を計算することができるアドホック・ワイヤレス・マルチ・ホッピング通信組織(fabric)を含む。このシステムのアドホック性は、本システムの配備を容易にする様々な属性の１つであり、全てのネットワーク・ノード間に完全な接続性(connectivity)を設けて、過酷な条件または常に変化する物理的条件に晒されても、重大な情報のインターネットへの適時配信を保証することができる。
【００１８】
以下で更に詳しく説明するが、本システムは、とりわけ、ＭＥＡＴＭ事件指令コンソール（ＩＣＣ）、複数のフロア指示ルータ（ＦＩＲ）、および少なくとも１つのＭｅｓｈＴｒａｃｋｅｒＴＭ（ＭＴ）デバイスを更に備えている。ＭＥＡＴＭ事件指令コンソールは、Ｗｉｎｄｏｗｓを基本とするＰＣを含み、タッチ・スクリーン・ディスプレイを組み込んでいるので、単純なユーザ・インターフェースを備えている。事件管理アプリケーションはこのＰＣ上で実行され、ＭＥＡＴＭワイヤレス・ネットワーク・カードを介してＭＥＡＴＭネットワーク組織に接続されている。指令コンソールは完全に自己充足型であり、即時防災隊（ＲＩＣ）のリーダのような、事件現場を管理する要員が監視することを想定している。事件管理アプリケーションは、リアル・タイムで要員の居場所および特定情報のグラフィック表示を行うためにある。具体的には、事件指令コンソールが報告するデータは、事件区域内における全ての要員の居場所、部隊番号、無線周波数の割り当て、最も近いＦＩＲ（通例、進入／出口点）および各個人までの距離、分隊別に（キャプテン／分隊のリーダを通じて）または個人毎に要員を表すことができるか否か、各個人の警報ステータス、およびある個人とのネットワーク通信の途絶またはＦＩＲとの通信の途絶を含む。
【００１９】
フロア指示ルータ（ＦＩＲ）は、小型の携帯用デバイスであり、先に論じたように、ＦＣＣ／ＵＬが公認したＭＥＡＴＭワイヤレス・トランシーバ・カードの使用を採用している。これらのデバイスは、事件区域周囲に静止基準点として配備される。これらのデバイスは、ＲＩＣのような現場要員によって、彼らが事件現場に到着した後に配備されるのが通例である。ＦＩＲは、階段室内のエレベータ・シャフト(elevator shaft)の近くに、即ち、進入および出口点に、縦列形態で配備される。多数のＦＩＲ縦列を必要に応じて配備すれば、無線カバレッジ区域を広げシステムの信頼性を高めることができる。この例におけるＦＩＲデバイスは、携帯用であり、重量が約３４０グラム（１２オンス）未満で、バッテリの寿命は５時間である。このデバイスは、第２  ＩＳＭ帯域（２．４０〜２．３８ＧＨｚ範囲）で動作し、送信出力は＋２５ｄｂｍである。
【００２０】
ＭｅｓｈＴｒａｃｋｅｒＴＭ（ＭＴ）デバイスは、ＦＩＲと形状係数が類似しているが、これは移動デバイス、即ち、現場の要員が位置追跡および報告(accountability)のために携行する移動端末として採用することを意図している点で異なる。ＭｅｓｈＴｒａｃｋｅｒは、ＭＥＡＴＭ位置解明(location)技術を利用して、事件現場内における相対的な位置を計算する。これは、事件区域内に配備されているＦＩＲデバイスとのワイヤレス相互作用によって遂行される。これについては、以下で詳しく説明する。ＭＴは、配備したＦＩＲＳおよびその他のＭＴをアドホック・ワイヤレス通信組織として利用し、不可欠な情報を指令コンソールに中継する。
【００２１】
先に論じたように、本システムにおけるバックボーンおよびデータ配信機構として機能する基本的な技術は、ＭＥＡＴＭである。これは、ＭｅｓｈＮｅｔｗｏｒｋＴＭのアドホック・マルチホッピング・ネットワーキング解決策であり、単純な配備指針を用いて、さほどの依存性もなく、迅速に配備を行うことを可能にする。ネットワークは、２つの方法の一方を用いて配備される。即ち、ネットワーク基盤構造の構成要素（ＦＩＲ）を、建築物管理および安全システムの一部として（例えば、各フロアの「出口」標識に結び付けられて）前もって配備するか、あるいは事件が発生したときに配備することもできる。ネットワークをいつ配備するかには関わらず、配備指針は同一である。これについて以下に論ずる。
【００２２】
最初に、コマンド・ポストを確立する。これは、コマンド・ポストを配備し、事件を事件指令コンソール（ＩＣＣ）を通じて管理する場所である。この場所は、事件区域内で少なくとも２つのＦＩＲへのワイヤレス接続性を可能にしなければならない。指令コンソールとＦＩＲネットワークとの接続性は、数十〜数百メートル（数百〜数千フィート）の範囲で達成することができる。
【００２３】
ＦＩＲを縦列状に、進入および出口点（通例、階段吹き抜けおよび／またはエレベータ・シャフト付近またはその内側）の外側に配備する。ＦＩＲは、資産を追跡するフロアおよび区域およびその周辺に配置される。これらは、通例、出火フロア(fire floor)および集結地(staging area)である。各ＦＩＲは、論理的にフロアおよび列に繋がれている。ＦＩＲ毎のフロアおよび列情報は、予め指令コンソールにロードしておくことができ、または事件指揮官によってＧＵＩを通じてリアル・タイムに構成することもできる。システムは、１つのＦＩＲを配備しただけでも位置情報を提供することができるが、多数のＦＩＲ列を配備すると、位置解明精度が高まり、監視区域が広がり、熱や落下する残骸のためにデバイスのいずれかが欠損した場合に必要な冗長性を確保する。単一のＦＩＲ列は、通例、９５パーセントよりも多い事例において精度の高い位置解明を行いつつ、典型的な高層構造では、フロア当たり約１８，５８０平方メートル（約２００，０００平方フィート）の適用範囲(coverage)、または半径約７６メートル（２５０フィート）の適用範囲が得られる。適用範囲の面積および突き止める位置の解明精度は、区分方法および各フロアに用いられる材料によって大きく影響される。ＦＩＲのネットワークを配備した後、事件区域内でＭｅｓｈＴｒａｃｋｅｒＴＭの使用を採用する要員からの位置更新は、自動的に事件指令コンソールに報告される。
【００２４】
図１は、前述にようにＦＩＲ１０６を配備した、階段室１０２およびエレベータ・シャフト１０４を有する建築物１００を示す概念的ブロック図である。図１における凡例は、消防士１０８、位置基準ＦＩＲ１０６、データ・リンク、および前述の事件指令コンソール（ＩＣＣ）１１１を配置した事件指揮官（通信指令装置）１１０のシンボルを示す。位置基準を設ける他に、ＦＩＲ１０６は、フロア全体およびフロア間のネットワーク接続性を確保する。事件指揮官が事件区域から余りに遠くに位置すると、１つのネットワークにおける全てのワイヤレス構成要素を接続するために、補足のワイヤレス・ルータ（この図には示されていない）を配備しなければならない。これらは二重の機能性を備えているので、ＦＩＲを「ワイヤレス・ルータ」（ＷＲ）と呼ぶことも多い。
【００２５】
図２は、ＦＩＲ１０６内における構成要素の一例を示すブロック図である。図示のように、各ＦＩＲ１０６は、少なくとも１つのモデム１１２と、モデムの受信および送信動作、ならびにメモリに対するデータ格納および読み出しを制御するコントローラ１１４とを含む。この例におけるモデム１１２は、ＭｅｓｈＮｅｔｗｏｒｋｓＴＭ  ＷＭＣ６３００ワイヤレス・トランシーバを採用したＭｅｓｈＮｅｔｗｏｒｋＴＭ  ＱＤＭＡモデムである。ＦＩＲ１０６は、例えば、先に引用した特許出願において記載されているように、アドホック・ワイヤレス通信ネットワークにおいてはワイヤレス・ノードとして動作する。各ＦＩＲ１０６または選択ＦＩＲ１０６は、熱センサ、ＣＯセンサなどのようなセンサを含み、ＦＩＲ１０６が配備されている環境に関する情報を指令コンソールに提供することができる。したがって、ＦＩＲ１０６のセンサが、例えば過剰な熱のために特に危険であることを示す区域を避けるように、または十分に注意するように消防士に助言することができる。
【００２６】
図３は、各消防士１０８が、彼または彼女の移動端末１１６を用いて、移動端末１１６のブロードキャスト範囲内にいる他の消防士と通信することができるように、そして消防士の移動を追跡できるように、各消防士１０８に支給することができるＭｅｓｈＴｒａｃｋｅｒＴＭ移動端末１１６の一例を示すブロック図である。移動端末１１６は、ハンズフリー動作を確保するマイクロフォンおよびイヤホンを備えたヘッドセットを含むことができる。方位を知らせるためにディジタル・コンパスも含むことができ、消防士の動きが止まった場合に動作センサが報告することができる。これらのデバイスは全て、典型的な操作者の所持品の一部である、バッテリに接続することができる。
【００２７】
移動端末１１６のマイクロフォンおよびイヤホンは、小型のトランシーバに接続することができる。このトランシーバは３つの主要構成要素を有し、モデム１１８、コントローラ１２０、および音声プロセッサ１２２を含む。コントローラ・メモリ内にプログラム・コードおよび動作パラメータとして格納されているソフトウェアが、移動端末の全構成要素のアクティビティ(activity)を制御する。
【００２８】
モデム１１８は、送信機および受信機を用いて、ネットワークの他の構成要素と無線通信を行う。送信機および受信機の動作を制御するには、しかるべきデータおよびコードを、１組のレジスタとして編成されているメモリに格納する。受信機および送信機は、メモリ・レジスタを用いて、モデムのステータスおよび実行した機能の結果に関するフィードバックを与える。コントローラ１２０は、メモリ・バスを通じてモデム１１８に接続されている。コントローラ１２０は、ＣＰＵと、モデム機能を制御するプログラムのデータおよびコードを格納するメモリとを含む。これは、メモリ・バスを通じてデータをモデム・レジスタに書き込み、モデム・レジスタから読み出してモデムのステータスを見出すことによって、モデム１１８のアクティビティを制御する。この例におけるモデム１１８は、ＭｅｓｈＮｅｔｗｏｒｋｓＴＭ  ＷＭＣ６３００ワイヤレス・トランシーバを採用したＭｅｓｈＮｅｔｗｏｒｋｓＴＭ  ＱＤＭＡモデムである。移動端末１１６は、例えば、先に引用した特許出願に記載されているように、アドホック・ワイヤレス通信ネットワークにおいて移動ワイヤレス・ノードとして動作する。
【００２９】
加えて、移動端末１１６の音声プロセッサ１２２がコントローラ１２０に接続されており、少なくとも２つの独立した構成要素、即ち、エンコーダおよびデコーダを含む。エンコーダは、マイクロフォンが受信した音を一連の数値に変換し、デコーダは一連の数値を逆に音に変換し、スピーカまたはイヤホンに送り出す。図３に示す実施形態では、音声プロセッサ１２２は、更に、メモリ・バスを通じてのコントローラ・メモリへのアクセスも含む。加えて、ヘッドセット内にディジタル・コンパスを組み込むこともでき、これは、適正に位置付けられたときに操作者の頭部の方位を示すので、操作者の現在の位置（即ち、「２時において約６．１メートル（２０フィート）」に対する角度を用いて方向を特定することが可能となる。動作センサ（図示せず）も、トランシーバと共に組み込むことができる。これは、消防士がある期間にわたって移動しない場合に、自動的に報告することができる。押しボタンも組み込めば、動作センサと同じ効果を得ることができる。消防士は、彼または彼女が救助を必要とする場合、ボタンを押下することができる。ボタンを押下する動作は、トランシーバのソフトウェアに伝達され、１組のデータ・メッセージを主制御部、例えば、ＩＣＣ１１１に対して発生する。これらのメッセージを受信すると、主制御部は、どの消防士が救助を求めているか、彼／彼女の現在の位置はどこかを示し、事件指揮官に警告する。
【００３０】
緊急場面における、前述のシステムの動作の一例についてこれより説明する。
即時介入部隊（ＲＩＣ：Rapid Intervention Crew）を各消火作業に配属する。消防士が消火している間、ＲＩＣチームは、誰かを救出しなければいけない事態に備えて待機している。呼び出したときに、いずれかの消防士またはグループが回答しない場合、または彼らが救助を求めた場合、ＲＩＣは行動を開始し、救出活動に乗り出す。最初に、彼らは、救助すべき消防士が現在どこにいるのか確認し、次いで彼らの救出に取り掛かる必要がある。現在実施されている手順では、ＲＩＣが最初に、彼らが探索を開始した場所から、当該消防士がいたことが分かっている最後の場所に向かう。高層建築物において火災が発生した場合、成功の重要な要素の１つは、探索を開始すべき正しいフロアを迅速に特定できることである。
【００３１】
建築物の構造では周知であるが、最新の高層建築物では、フロアは鋼鉄で補強したコンクリート製であり、一方、その他の建築物のフロアは木材のような他の材料で作られている場合もある。無線波がコンクリートを通過するとき、無線エネルギの吸収が多くなるが、木製パネルを通過するときはさほど多くない。その結果、フロアがコンクリートの建築物では無線波は数フロアを通過できるに過ぎないのに対して、フロアが木製の建築物では多くのフロアの通過が可能である。
【００３２】
先に端的に論じたように、図１は、ＲＩＣ要員が階段室１０２（右）およびエレベータ１０４（左）に進んで行くのに伴って進行する救助活動を示す。状況に応じて、ＲＩＣは階段やエレベータを用いて建築物の多くのフロアに到達することができる。図示のように、ワイヤレス・フロア指示ルータ（ＦＩＲ）１０６が各フロアの階段室１０２内およびエレベータ・シャフト１０４の近くにある。信号はフロアおよび壁を通過するとエネルギを失うので、ＦＩＲ１０６は、当該ＦＩＲ１０６と同じフロアにはいない消防士とは通信できない可能性もある。
【００３３】
ＲＩＣ救助チームは、ＲＩＣが最初に火災の現場に到着したときに、各フロアに１つルータを配備する。これによって、ＲＩＣは、緊急事態が宣告された時点から僅か数秒の内に、個々の消防士がいるフロアの番号を見出すことが可能となる。全てのＦＩＲ１０６は、できるだけ垂直線に近く位置付けなければならない。これは、木製フロアの建築物では、階段室の同じ角にルータを配置することによって、金属またはコンクリート製フロアの建築物では階段レール上にルータを吊すことによって、実現することができる。高層建築物で１つ以上のエレベータ・シャフトを有する場合、エレベータが上昇するにつれて、これらから配備することができる。即ち、エレベータが各フロアにおいて停止したときに、ＦＩＲ１０６をエレベータ・ドアに接近して配備すれば、全てのＦＩＲ１０６をできるだけ真っ直ぐな垂直線状に位置付ける確証を得ることができる。
【００３４】
これより論ずるが、本発明の一実施形態にしたがって、飛行時間（ＴＯＦ：Time of Flight）および受信信号強度表示（ＲＳＳＩ）データを用いて、フロア番号を見つける。
【００３５】
建築物内部における無線信号の伝搬は、多数の反射による影響を受け、ワイヤレスＦＩＲ１０６と、ＭＴを用いている消防士との間の正しい距離を判定することは殆ど不可能になる。また、建築物内部における無線信号の伝搬は、無線信号がフロアや壁を通過するときの高いエネルギ吸収によっても影響を受ける。吸収度は、障害物の厚さおよび組成によって異なる。鋼鉄で補強したコンクリート製の壁およびフロアは吸収度が高く、一方、木製または乾燥した壁が無線波のエネルギに及ぼす影響は小さい。媒体は均質ではないので、消防士とワイヤレス・ルータとの間の正確な距離を、ＲＳＳＩに基づいて計算することは、殆ど不可能である。
【００３６】
ここに記載する本発明の本実施形態によるシステムおよび方法は、消防士がいるフロアを特定するために、ＴＯＦおよびＲＳＳＩ双方を用いる。全てのルータから受信したＲＳＳＩおよびＴＯＦの値をフィルタ処理した後、フロア番号の評価のために用いる。ＲＳＳＩおよびＴＯＦデータは消防士までの正確な距離を示さない場合もあるが、フィルタ処理したデータを比較すれば、最も小さいＴＯＦおよび最良のＲＳＳＩを目標の移動デバイスに同時に供給したＦＩＲがあるフロアを見つけることができる。
【００３７】
図４から図７に明記したフローチャートに示す動作により、各フロアにスコアを設定し、最良のスコアを得たフロアを選択する技法が得られる。同じ技法は、ＴＯＦおよびＲＳＳＩデータに応じたスコアを設定するためにも用いられる。即ち、この技法は、最初に、移動端末１１６と、移動端末１１６が受信することができる信号を発信するＦＩＲとの間で行われた測定の回数でＴＯＦを除算して最も小さな値（または、ＲＳＳＩの最も小さい絶対値）を求める。重み付けしたＴＯＦの最小値を与えるＦＩＲ１０６は、ＭＴ１１６が位置する可能性が最も高いフロアを表し、そのスコアを最大値に設定する。再度、残りのフロアから、測定回数で除算したＴＯＦの最小値を探索することによって、次に可能性が高いフロアを求める。全てのフロアを探索し終え、各フロアにスコアを割り当て終えるまで、この方法を適用する。２つのフロア上で得られた探索値がほぼ等しい場合（例えば、値が互いに５％以内の差である場合）、２つのフロアのスコアを等しく設定する。ＲＳＳＩおよびＴＯＦに基づいて各フロアのスコアを計算した後、ＲＳＳＩおよびＴＯＦスコア双方を加算することにより、総合スコアを計算する。最も大きなスコアと一致するフロアを、消防士がいるフロアとして指定する。
【００３８】
図４から図７に示すフロア特定アルゴリズムは、リアル・タイムで動作する。先に論じたように、各消防士は、彼または彼女の所持品の一部として、加入者デバイス（即ち、ＭＴ１１６）を有する。事件指揮官、例えば、上級消防監督または隊長は、前述のようなＭＥＡＴＭ事件指令コンソール１１１のようなコンピュータを有し、例えば、図８から図１９に示すように、各消防士の位置を連続的に表示する。
【００３９】
尚、各ＭＴ１１６は、それが通信できる全てのワイヤレス・ルータ（即ち、ＦＩＲ１０６）と距離メッセージを交換することを注記しておく。ＭＴ１１６が、ＦＩＲ１０６のリストがそのブロードキャスト範囲内にあると判断した場合、ＭＴ１１６は情報（例えば、データ・パケット）を事件指揮官コンピュータ（ＩＣＣ）１１１に送信する。この情報には、ＦＩＲ１０６のリスト、それらの各々に対するＴＯＦ、伝搬範囲内において各ＦＩＲ１０６から受信した信号のＲＳＳＩが含まれる。ＩＣＣ１１１は、先に論じた指令コンソール１１０内に配置することができる。ＩＣＣ１１１は、ＦＩＲ１０６およびＭＴ１１６からのデータを、アドホック・ネットワークのマルチ・ホッピング機能を通じて受信し、フロア番号の計算を行い、各消防士がいるフロア番号を表示する。ＧＵＩ出力を用いるリアル・タイム処理には、３つの異なる構成要素、即ち、初期化、データ収集、およびＧＵＩ更新に伴う計算が必要となる。
【００４０】
初期化動作は、ＩＣＣ１１１を起動するときに実行する。初期化動作の一例を図４に示す。
初期化の一部として、ステップ１０００において建築物１００内にあるフロア数（ｎＦｌｏｏｒｓ）、および階段室の数（ｎＳｔａｉｒｓ）を確定する。また、フロア番号の計算とは厳密には関係しない他の情報はここには示さない。ステップ１０１０、１０２０、１０３０および１０４０において、変数Ｃｏｕｎｔ、ＴＯＦ、ＲＳＳＩおよびＦＩＲＩＤの値を全て消去する（即ち、０に設定するが、ＦＩＲＩＤは空白に設定する。何故なら、これはテキスト変数であるからである）。初期化処理は、ステップ１０５０において終了する。
【００４１】
ＭＴ１１６が利用可能なデータを有する場合、これらはデータ・パケットをＩＣＣ１１１に転送する。したがって、図５に示すデータ収集タスクは、データを受信するときに活性化される。ＩＣＣ  ＧＵＩは、動作の進展についてＩＣに知らせ続けるために、周期的に更新しなければならない。したがって、ＧＵＩの更新は、フロア番号の計算よりも前に行わなければならず、周期的なタイマによって活性化される。アプリケーションは、それ自体のデータ構造を維持する。このデータ構造は、４つの構成要素を有し、その各々がｎＦｌｏｏｒｓと同じ数の行、およびｎＳｔａｉｒｓと同じ数の列を有する。
【００４２】
図４から図７に表す変数およびアレイについてここで簡単に説明する。
ＦＩＲＩＤ（ＦＩＲ  Identificationを表す）は、各ＦＩＲ１０６の識別子を有するアレイである。各ＦＩＲ識別は、ＦＩＲを配備したフロアの番号と関連付けられている。これが意味するのは、同じフロアに配備されたＦＩＲは全て、フロア上の位置には関わらず、マトリクスの同じ行上にあるということである。ＭＴ１１６は無線エネルギ吸収のために同じフロア上にある全てのＦＩＲと通信できない場合もあるので、ＦＩＲＩＤテーブルにおける位置の一部が使用されないままになることもある。消防士が建築物中を移動するに連れて、新たなＦＩＲ識別子がテーブルに追加されるが、古いＦＩＲは除去されない。
【００４３】
Ｃｏｕｎｔマトリクスは、ＳＤがＦＩＲ毎に報告する距離メッセージの数のカウントを収容する。
ＲＳＳＩおよびＴＯＦテーブルは、ＦＩＲＩＤと同じ構造を有する。これらは、ＦＩＲ毎に記録されたＲＳＳＩおよびＴＯＦをフィルタ処理した値を収容する。
【００４４】
図５のフローチャートは、データ収集関数を示す。関数名はＮｅｗＤａｔａであり、新たな１組のデータをＭＴから受信する毎に、ステップ１１００において活性化され開始する。ＮｅｗＤａｔａ関数は、４つのパラメータを有し、これらは、データを収集した元であるＦＩＲの識別を表すＦＩＲ、ＦＩＲに対する最後のＴＯＦを表すＦＩＲ＿ＴＯＦ、最後に受信したメッセージに対するＲＳＳＩの絶対値を表すＦＩＲ＿ＲＳＳＩ、およびＦＩＲを配備してあるフロアの番号を表すＦＬＯＯＲである。
【００４５】
データ収集関数は、ＦＩＲＩＤテーブルのＦＬＯＯＲ行において、ＦＩＲ識別の位置を見出す。これが新しい識別であるとステップ１１１０において判定した場合、ステップ１１２０において、新たなＦＩＲ識別を、テーブルの最初の空欄位置に追加する。ＦＩＲｊは、ステップ１１３０において示すように、ＦＬＯＯＲ行上でのＦＩＲ識別の列である。
【００４６】
ステップ１１４０および１１５０に示すように、サイズがＣｏｕｎｔである可変サイズ・ウィンドウを用いて、最初にＴＯＦおよびＲＳＳＩ値をフィルタ処理する。ＭＴとＦＩＲとの間で交換したメッセージの数が既定値ＭＡＸ＿ＩＴよりも大きくなったとき、フィルタは、１／（ＭＡＸ＿ＩＴ＋１）の比率を有する無限入力フィルタに変化する。その効果は、ステップ１１６０および１１７０によって示すように、Ｃｏｕｎｔテーブルの値がＭＡＸ＿ＩＴよりも大きくなるのを制限することによって達成する。
【００４７】
フローチャートのステップ１１８０は、アルゴリズムが収集した古すぎるデータを確実に「忘却」させる。このような「忘却」が必要なのは、消防士は１つのＦＩＲから遠ざかるように移動して別のＦＩＲに接近する可能性があるので、収集したＴＯＦおよびＲＳＳＩの値を消防士の新たな位置に応じて変化させるためである。アルゴリズムは、ＦＯＲＧＥＴ係数の値に応じて、忘却を早めたりまたは遅くしたりする。ＦＯＲＧＥＴ係数の値は、常に０と１の間の数値である。これが０の場合、アルゴリズムは何も覚えていない。係数が１の場合、アルゴリズムは全てを覚えている。この用途では、最も慣例的な値は、ＦＩＲからデータを収集する頻度に応じて、０．９９または０．９９９である。次いで、データ収集処理は、ステップ１１９０において終了する。
【００４８】
図６におけるフローチャートは、消防士のフロア番号を計算する関数ＧｅｔＦｌｏｏｒＮｕｍｂｅｒを示す。この関数は、ステップ１２００において開始し、フロア数ｎＦｌｏｏｒｓと同じ要素を有する２つのローカル整数アレイを用いる。この関数は、ステップ１２１０においてＲＳＳＩｓｃｏｒｅを計算し、ステップ１２２０においてＴＯＦｓｃｏｒｅを計算するために、２回ＧｅｔＳｃｏｒｅ関数を呼び出す。スコアを組み合わせることによって、それぞれ独立した判断基準よりも、確かなフロアを推定する精度を高めることができる。建築物内部の反射のために、ＴＯＦには３０メートルもの長さの誤差が生ずることが測定された。フロア間の距離は３および６メートルの間であることを顧慮すると、３０メートルの誤差は、５および１０フロア間のフロア番号推定値の誤差を示唆する。ＲＳＳＩは、ＭＴがＦＩＲから受信する信号の強度を示す。全てのＦＩＲは同じ電力で送信しているが、各階の区分が異なるため、そしてフロアの吸収が壁の吸収とは非常に異なるために、各信号の経路長が異なる。更に、ＭＴとこれが通信するＦＩＲとの間にある壁の数は、各フロアの区分法によって異なり、したがって、ＦＩＲ毎に異なる。この理由のため、フロア数を見つけるためには、ＲＳＳＩ情報そのものを用いることはできない。したがって、本アルゴリズムは、各フロアに対するスコアを計算し、双方の判断基準を用いて最も高い加算スコアを得たフロアを選択する。検査では、その結果が例外的に正確であることが示された。フローチャートのステップ１２３０は、フロア毎にＲＳＳＩｓｃｏｒｅをＴＯＦｓｃｏｒｅと加算することによって計算した最大スコアに基づいて、フロア番号を求める。この処理は、ステップ１２４０において終了する。
【００４９】
図７は、ＧｅｔＳｃｏｒｅ関数のフローチャートの一例を示す。この関数は、図６において先に論じたステップ１２１０および１２２０によって、ＲＳＳＩおよびＲＳＳＩｓｃｏｒｅをパラメータとして、次いでＴＯＦおよびＴＯＦｓｃｏｒｅをパラメータとして呼び出される。この関数は、各判断基準にしたがって、各フロアのスコアを計算する。
【００５０】
ステップ１３００における開始後、この関数は起動して、ステップ１３１０において全てのＳｃｏｒｅ値を０に設定し、次いでステップ１３２０においてデータ（ＲＳＳＩまたはＴＯＦ）のコピーを作成し、一時的記憶部ｔｅｍｐに格納する。ステップ１３３０において、ｌａｓｔＶａｌおよびＬｅｖｅｌも初期化する。Ｌｅｖｅｌ変数の値は重要ではないが、ＲＳＳＩおよびＴＯＦ双方に対して同一でなければならない。
【００５１】
この関数は、判断基準（ＲＳＳＩまたはＴＯＦ）が最良の値を有するフロアを特定するループを有する。一旦ステップ１３４０においてフロアを見つけ出したなら、同じフロアからの他のデータを全て無視し、次のフロアを特定する。識別を必要とするフロアが残っているとステップ１３５０において判断される限り、この関数は継続する。しかしながら、そのようなフロアが残っていなければ、関数はステップ１３６０において終了する。
【００５２】
前述のアルゴリズムの実行中、ｔｅｍｐの内容をステップ１３７０において削除する。この理由のため、ステップ１３２０においてデータの内容をｔｅｍｐにコピーしたのである。
【００５３】
２つのフロアの値に、５％よりも小さい値の差がある場合、これらは、ステップ１３８０、１３９０および１４００において示すように、ＬＥＶＥＬ変数に対して同じ値を維持することによって、同じＳｃｏｒｅを受ける。値が異なる場合、各フロアに対するスコアは異なる。何故なら、ステップ１４２０においてフロアを見つけ出す毎にＬｅｖｅｌの値を減らすからである。ステップ１４１０において、ｌａｓｔＶａｌは、ｍｉｎＶａｌ、即ち、判断基準の直前値最小値を示す。フロア毎に最小値を求めこれら最小値をソートした結果にしたがってスコアを設定すれば、同じ結果を得ることができる。
【００５４】
前述のように、図８から図１９は、先に論じたように決定した消防士の居場所に基づいてＩＣＣが生成した表示画面の例を示す。例えば、図８は、消防士が建築物に入る前における初期表示ウィンドウを示し、図９は、「凡例タブ」を拡大して初期表示ウィンドウを示し、異なる種類の要員および条件を表すことができるシンボルを表示ウィンドウ上に表示できることを示す。図１０は、各フロアにＦＩＲを配備した建築物の４つの階段の表示を示し、図１１は、大部隊の指揮官が結集フロアに入ったことを示すシンボル（キャプテンの階級章）を示す。そのフロアは、建築物の１階、またはヨーロッパのフロア階数慣例を用いると「フロア０」である。図１２は、梯子部隊が建築物のフロア２に入ったことを示し、図１３は、フロア２におけるその梯子部隊の３人の要員の詳細を示す（即ち、一人のキャプテンおよび二人の消防士）。図１４は、フロア２の拡大表示図を示す。図１５は、フロア２の警報状態を示し、図１６は、警報が承認されたことを示す。図１７は、選択された要員（この例では、監督）の詳細、および監督から最も近いＦＩＲ１０６までの距離を示す。この例では、監督は、「Ａ」で示すＦＩＲ１０６から約０．９メートル（２．９フィート）のところにいる。図１８は、ＦＩＲ（この場合、２Ｃで示すＦＩＲ）が信号を失い、これが損傷を受けたかまたは破壊されたことを意味する表示の一例を示す。図１９は、多数のフロアの表示、および各フロアにおける要員の一例を示す。当然のことながら、本システムは、いずれの所望のフォーマットでも情報を表示するように修正することができる。
【００５５】
前述した本発明の実施形態では、本システムおよび方法は、移動ネットワーク部材の正確な位置を与え、作業に従事するチームの構成員間での音声交換を可能にする。以上、本発明の実施形態例を少数だけ詳細に説明したが、本発明の新規な教示および利点から著しく逸脱することなく、実施形態例には多くの変更が可能であることは、当業者には容易に認められよう。したがって、このような変更は全て、本発明の範囲に含まれるものとする。
【図面の簡単な説明】
【００５６】
【図１】本発明の一実施形態によるシステムのワイヤレス・ルータを内部に配備した建築物の概念図。
【図２】図１に示したシステムに用いられているワイヤレス・ルータの構成要素の一例を示すブロック図。
【図３】図１に示した建築物において消防士が用いることができる移動端末の構成要素の一例を示すブロック図。
【図４】本発明の一実施形態にしたがって、図１に示したシステムにおいて移動端末の位置を特定するために実行する初期化動作の一例を示すフローチャート。
【図５】本発明の一実施形態にしたがって、図１に示したシステムにおいて、移動端末の位置を特定するために実行するデータ収集動作の一例を示すフローチャート。
【図６】本発明の一実施形態にしたがって、図１に示したシステムにおいて移動端末の位置を特定するために実行するフロア番号計算動作の一例を示すフローチャート。
【図７】本発明の一実施形態にしたがって、図１に示したシステムにおいて移動端末の位置を特定するために実行するフロア・スコアリング動作の一例を示すフローチャート。
【図８】図１ないし図７に例証した本発明の実施形態にしたがって判定した消防士の居場所に基づいて、事件指揮官コンソール（ＩＣＣ）が生成する表示画面の例を示す。
【図９】図８と同様の図。
【図１０】図８と同様の図。
【図１１】図８と同様の図。
【図１２】図８と同様の図。
【図１３】図８と同様の図。
【図１４】図８と同様の図。
【図１５】図８と同様の図。
【図１６】図８と同様の図。
【図１７】図８と同様の図。
【図１８】図８と同様の図。
【図１９】図８と同様の図。
【図１】
2007526445.tif 000003
【図２】
2007526445.tif 000004
【図３】
2007526445.tif 000005
【図４】
2007526445.tif 000006
【図５】
2007526445.tif 000007
【図６】
2007526445.tif 000008
【図７】
2007526445.tif 000009
【図８】
2007526445.tif 000010
【図９】
2007526445.tif 000011
【図１０】
2007526445.tif 000012
【図１１】
2007526445.tif 000013
【図１２】
2007526445.tif 000014
【図１３】
2007526445.tif 000015
【図１４】
2007526445.tif 000016
【図１５】
2007526445.tif 000017
【図１６】
2007526445.tif 000018
【図１７】
2007526445.tif 000019
【図１８】
2007526445.tif 000020
【図１９】
2007526445.tif 000021
【国際調査報告】
2007526445.tif 000022